(57)【特許請求の範囲】
【請求項１】
上部室及び水流方向に分離壁を介して一方が取水口を有する取水室と他方が給水口を有する給水室との２室構造の下部室を備えた箱体と、前記上部室に設けられた駆動部と、該駆動部からの駆動力を伝達する前記上部室に設けられた駆動軸と、前記分離壁に形成された弁座と、該弁座に組み合わされる弁部と、該弁部に連結された被駆動軸と、該被駆動軸及び前記駆動軸に各々連結されて支点を中心として回動する操作ハンドルとを有し、前記駆動軸と操作ハンドルと被駆動軸とを前記駆動部に対して同じ側に配設したことを特徴とする水田用取水装置。
【請求項２】
上部室及び水流方向に分離壁を介して一方が取水口を有する取水室と他方が給水口を有する給水室との２室構造の下部室を備えた箱体と、前記上部室に設けられた駆動部と、該駆動部からの駆動力を伝達する前記上部室に設けられた駆動軸と、前記分離壁に形成された弁座と、該弁座に組み合わされる弁部と、該弁部に連結された被駆動軸と、該被駆動軸及び前記駆動軸に各々連結されて支点を中心として回動する操作ハンドルとを有し、前記駆動軸と、操作ハンドルと、被駆動軸と、弁部との組み合わせ構造は、側面からみてコ字状であり、前記駆動軸、被駆動軸及び弁部が水平動作及び前記操作ハンドルが回転動作を有することを特徴とする水田用取水装置。
【請求項３】
請求項１又は２において、前記操作ハンドルは、前記駆動軸との連結を解放することによって手動動作できることを特徴とする水田用取水装置。
【請求項４】
請求項１から３のいずれかにおいて、前記上部室と下部室とに亘って前記操作ハンドルが延在し、前記操作ハンドルの回動を許容して前記上部室と下部室との間にシール部を設けたことを特徴とする水田用取水装置。
【請求項５】
請求項１から４のいずれかにおいて、太陽光発電によって得られる電力を蓄電するバッテリと前記駆動部を制御する制御装置とを前記上部室に配設したことを特徴とする水田用取水装置。
【請求項６】
上部室及び水流方向に分離壁を介して一方が取水口を有する取水室と他方が給水口を有する給水室との２室構造の下部室を備えた箱体と、前記上部室に設けられた駆動部と、該駆動部からの駆動力を伝達する前記上部室に設けられた駆動軸と、前記分離壁に形成された弁座と、該弁座に組み合わされる弁部と、該弁部に連結された被駆動軸と、該被駆動軸及び前記駆動軸に各々連結されて支点を中心として回動する操作ハンドルと、前記給水口への給水開始及び給水停止を制御すると共に給水の時刻管理を行う制御装置とを有することを特徴とする水田用取水装置。
【発明の詳細な説明】
【０００１】
【発明の属する技術分野】
本発明は、水田に取水するために使用される水田用取水装置に関する。
【０００２】
【従来の技術】
従来、取水口からの取水を弁を介して給水口から圃場に給水する場合、弁を手動操作により開閉動作していた。
【０００３】
特開平2−117328 号公報には、水路に設置する弁ケースと、その弁ケースを開閉し、ばねにより閉鎖方向に付勢力を受ける軸支された弁と、その弁に一端部を固着し、他端部にフックを設けた弁操作アームと、通水時間を設定するつまみを備えたタイマーと、そのタイマーの駆動突起から設定時間に達すると、ロック解除の回転力を受ける受動突起を一端部に設け、他端部にはばねから付勢力を受けてフックに掛かる掛止突起を設けたアームロック軸とを備えることを特徴とする貯水量管理器が記載されている。
【０００４】
その他の例として特開平10−327687号公報（水田の水位自動管理用の逆こま弁体）あるいは特開平7−308132 号公報（水田の取水方法）がある。
【０００５】
【発明が解決しようとする課題】
水田管理において、田水温は、品質，収量に大きな影響を与える。特に寒冷地においてはその影響が大きく、種々の改善が行われている。最も効果的な方法として、日昼は太陽熱による蓄熱を図り、田水温より温度の低い用水路から取水しない。深夜から払暁にかけて、田水温が用水温より低下した時間帯に取水する。水田の水温が最高温度を維持すること重要であるので、水田の水温調節のための取水時間は日中と限られるものではなく、夜間あるいは朝方にも及ぶことがある。このような時間に圃場に出掛け、弁を操作することには多大な労力を必要とする。
【０００６】
本発明はかかる点に鑑み、
１）取水のための弁機構を簡略して故障の生じにくい構成とすること
２）駆動部が水の影響あるいは天候の影響がない構成として時刻管理による自動運転の取水に支障が生じないようにすること
を達成することのできる水田用の取水装置を提供することを目的とする。
【０００７】
更に、本発明は、原則として「開水路」に使用する取水装置を対象としたが、地域事情により採用されている「圧送水路（パイプライン）」にも適用できる取水装置を提供する。
【０００８】
また、本発明は、駆動源はシステム内で発電するものとして外部供給を必要としないようにした取水装置を提供する。
【０００９】
【課題を解決するための手段】
本発明は、取水装置を一体構造として、一体構造体内を上下２領域に区画し、下部は左右２領域に区画し、弁被駆動部を弁部の設けられる領域とは対向する領域側に集中して設けて弁機構を簡略化して取り扱い易いものとした。階層は、二層配置方式を採用し、駆動部を上層に設けることによって水の影響あるいは天候の影響が少ないものとした。
【００１０】
本発明は、水田用用水路の脇に設ける屋外設置とするため耐環境性のあるものとし、システム内で発電する太陽光発電を採用できるものとし、操作電力を容易に得ることができるものとした。
【００１１】
また、制御装置は、原則として毎日、定時給水開始，定時給水停止を行うことのできる時刻管理制御部を有するものとし、該制御部は、拡大機能として隔日給水運転を行うことができるものとした。
【００１２】
本発明は具体的には、次に掲げる装置を提供する。
【００１３】
本発明は、上部室及び水流方向に分離壁を介して一方が取水口を有する取水室と他方が給水口を有する給水室との２室構造の下部室を備えた箱体と、前記上部室に設けられた駆動部と、該駆動部からの駆動力を伝達する前記上部室に設けられた駆動軸と、前記分離壁に形成された弁座と、該弁座に組み合わされる弁部と、該弁部に連結された被駆動軸と、該被駆動軸及び前記駆動軸に各々連結されて支点を中心として回動する操作ハンドルとを有し、前記駆動軸と操作ハンドルと被駆動軸とを前記駆動部に対して同じ側に配設した水田用取水装置を提供する。
【００１４】
本発明は、上部室及び水流方向に分離壁を介して一方が取水口を有する取水室と他方が給水口を有する給水室との２室構造の下部室を備えた箱体と、前記上部室に設けられた駆動部と、該駆動部からの駆動力を伝達する前記上部室に設けられた駆動軸と、前記分離壁に形成された弁座と、該弁座に組み合わされる弁部と、該弁部に連結された被駆動軸と、該被駆動軸及び前記駆動軸に各々連結されて支点を中心として回動する操作ハンドルとを有し、前記駆動軸と、操作ハンドルと、被駆動軸と、弁部との組み合わせ構造は、側面からみてコ字状であり、前記駆動軸、被駆動軸及び弁部が水平動作及び前記操作ハンドルが回転動作を有する水田用取水装置を提供する。
【００１５】
本発明は、更に前記操作ハンドルが、駆動軸との連結を解放することによって手動操作される水田用取水装置を提供する。
【００１６】
本発明は、更に前記上部室と下部室とに亘って前記操作ハンドルが延在し、操作ハンドルの回動を許容して上部室と下部室との間にシール部を設けた水田用取水装置を提供する。
【００１７】
本発明は、動力源の太陽光発電とその電力を蓄電するバッテリと前記駆動部を制御する制御装置とを前記上部室に配設した水田用取水装置を提供する。
【００１８】
上部室及び水流方向に分離壁を介して一方が取水口を有する取水室と他方が給水口を有する給水室との２室構造の下部室を備えた箱体と、前記上部室に設けられた駆動部と、該駆動部からの駆動力を伝達する前記上部室に設けられた駆動軸と、前記分離壁に形成された弁座と、該弁座に組み合わされる弁部と、該弁部に連結された被駆動軸と、該被駆動軸及び前記駆動軸に各々連結されて支点を中心として回動する操作ハンドルと、前記給水口への給水開始及び給水停止を制御すると共に給水の時刻管理を行う制御装置とを有する水田用取水装置を提供する。
【００１９】
【発明の実施の形態】
以下、本発明にかかる一実施例を図面に基づいて説明する。
【００２０】
図１は、本発明の実施例である構成の側面図、図２はその下部の平面図および図３はその上部の平面図である。これらの図において、取水装置は、箱体１を有し、箱体１は上部室２および下部室３の上下２領域に区画され、下部室３は取水側および給水側の左右２領域に区画される。下部室３はその一方側が取水室４とされ、他方側が給水室５とされ、両者は分離壁４５によって区画される。取水室４に連接する取水口６，給水室５に連接する給水口７が箱体１に設けてある。図に示すような突出形とした取水口６，給水口７とすることによって、圧送水路にも連結することができる。
【００２１】
分離壁４５には開口が形成され、この開口には弁座８が設けられ、これを閉鎖する弁部９が取水室４に設けられる。弁部９が開放された状態を鎖線で示す。
【００２２】
弁部９には被駆動軸１０が連結され、他方側に操作ハンドル１４が回動可能にして連結される。被駆動軸１０と操作ハンドル１４とは連結点２１で連結される。被駆動軸１０の一部にスプリング部１１が設けられ、この内部にスプリング１５が配され、衝撃に対する緩衝作用に加え、弁閉鎖の圧力を与え、またその一部に軸受１６が設けられる。
【００２３】
操作ハンドル１４は上方の上部室２にまで延在し、支点１９を中心として回動する。支点１９は、箱体１の内部に突出するようにして箱体１に設けられるサポート（図示せず）に設けられる。
【００２４】
上部室２の右側領域、すなわち給水側には駆動体としてのモータ１２が設置され、該モータ１２に駆動軸１３が設けられて回転される。駆動軸１３はおねじになっているので、この回転はめねじ構造の機構部２２に推力を与える。機構部２２は、操作ハンドル１４に連結点２０を介して連結される。この実施例では、モータ１２を駆動部とし、駆動軸１３，機構部２２，操作ハンドル１４，被駆動軸１０および弁部９を弁被駆動部とする。図に示すように駆動軸１３，操作ハンドル１４，被駆動軸１０および弁部９は側方（側面）からみてコ字状に配設とされるが、操作ハンドル１４は、鎖線で示す位置まで支点１９を中心として回動することができる。
【００２５】
操作ハンドル１４のこの回動によって弁部９は開閉動作がなされる。
【００２６】
前述のように、上部室２と下部室３とに亘って操作ハンドル１４が延在し、操作ハンドル１４の回動を許容して上部室２と下部室３との間にシール部が設けられる。
【００２７】
図３に示すように、箱体１には三つのマンホール３１，３２，３３が設けられ、修理・点検等のために使用される。
【００２８】
図４は制御装置を示し、制御装置は、タイマ３６，コンピュータ３７，スイッチ３８およびバッテリ３５を有し、これらは箱体４０内に配置される。コンピュータ３７は、リレー機能を有し、メモリ入出力装置，演算装置等の通常のコンピュータの有する構成を有し、収納されたプログラムによって毎日、定時給水開始，定時給水停止がなされ、拡大機能として隔日給水運転による時刻管理がなされる。これによって、時刻管理方式の自動運転の取水システムを提供することができる。但し、応急時、手動運転が可能である。すなわち、操作ハンドル１４は、モータ１２の駆動軸１３から切り離すことによって手動操作を行うことができる。
【００２９】
図５は、太陽光発電４１，制御箱４０，取水装置の箱体１の配設および水路５１，圃場５２に対する配置例を示す。太陽光発電４１および制御箱４０は、水路５１の近くに設けたサポートくい５０によって支持される。太陽光発電４１で得られた電力はバッテリ３５に蓄電され、弁部９の駆動のために使用される。このように、操作電力は、システム内発電方式とされ、外部供給を必要としない。
【００３０】
以上のように箱体内配設の一体構造体となし、上部室２と下部室３との上下２領域となし、両者をシール部でシールすることによって区画し、給水側に駆動部および弁被駆動部を配設することができる。この配設によって配置は簡単化され、マンホールの配設が可能となって修理・点検を容易に行うことができ、かつモータ１２などの電気品に対する水の影響，天候の影響を少なくすることができると共に、操作制御を楽に行うことができる。
【００３１】
図６，図７，図８は他の実施例を示し、それぞれ第１実施例の図１，図２，図３にそれぞれ対応する。第１実施例の構成と同一の部品には同一の数字が付してあり、説明を繰り返さない。
【００３２】
第１実施例にあっては制御装置を箱体１と分離して配設したが、第２実施例にあっては制御装置を箱体１内に組み入れた。従って、タイマ３６，リレー機能を有するコンピュータ３７，スイッチ３８およびバッテリ３５に図示するようにして箱体１内に配設される。この構成によれば制御箱が不要となって取水システムは、より以上にコンパクト化される。また、太陽光発電４１は箱体１の上部に搭載できる。
【００３３】
【発明の効果】
以上のように、本発明によれば、取水のための弁機構が簡略されて故障が生じにくく、駆動部が水の影響，天候の影響がない配置とされて時刻管理による自動運転の取水を支障なく行いうる構造を提供することができる。
【００３４】
従って、日中，夜間を問わず、弁開閉操作を任意に行うことができるようになるから取水の操作を極めて楽に行うことができる。
【図面の簡単な説明】
【図１】本発明の実施例の概略構成の側面図。
【図２】図１の下部の平面図。
【図３】図１の上部の平面図。
【図４】制御装置の構成図。
【図５】取水システムの配置図。
【図６】他の実施例の概略構成の側面図。
【図７】図６の下部の平面図。
【図８】図６の上部の平面図。
【符号の説明】
１…箱体、２…上部室、３…下部室、４…取水室、５…給水室、６…取水口、７…給水口、８…弁座、９…弁部、１０…被駆動軸、１１…スプリング部、１２…モータ、１３…駆動軸、１４…操作ハンドル、１９…支点、２０，２１…連結点、３５…バッテリ、３６…タイマ、３７…コンピュータ、３８…スイッチ、４０…制御箱、４１…太陽光発電、４５…分離壁。
【図１】
0003699607.tif 000002
【図２】
0003699607.tif 000003
【図３】
0003699607.tif 000004
【図４】
0003699607.tif 000005
【図５】
0003699607.tif 000006
【図６】
0003699607.tif 000007
【図７】
0003699607.tif 000008
【図８】
0003699607.tif 000009